(57)【要約】      （修正有）【課題】ブラケットとソーラーパネルを分離させ、両者の接触により発生する短絡を防ぐと共に、雨水の侵入を遮断することで腐食の発生を防ぎ、構造の保護及び耐用年数の延長などの防水絶縁機能を有するソーラーパネル支持構造を提供する。【解決手段】本体１、固定部品２、いくつかの防水絶縁ゴムストリップ３を含み、本体１は頂板１１を備え、頂板１１の両側にそれぞれ側面部１２を設けることで頂板１１が持ち上げられ、各側面部１２の下端には底板１３が接続され、底板１３は屋根を構成する鉄骨梁に締め付けられる。頂板１１には固定部品２が締め付けられ、本体１と共にソーラーパネル６の組立のための組立スペース５を構成し、本体の側面部１２とソーラーパネル６の間、及び固定部品２とソーラーパネル６の間には防水絶縁ゴムストリップ３が設けられる。【選択図】図１
2020031531.tif 000002
【特許請求の範囲】
【請求項１】
防水機能を有するソーラーパネル支持構造であって、本体、固定部品、いくつかの防水絶縁ゴムストリップを含み、
前記本体１は頂板１１を備え、前記頂板１１の両側にそれぞれ側面部１２を設けることで前記頂板１１が持ち上げられ、各側面部１２の下端には底板１３が接続され、前記底板１３は屋根を構成する鉄骨梁４に締め付けられ、前記本体１の側面部１２は第１直立セグメント１２１及び第２直立セグメント１２２を含み、前記第１直立セグメント１２１と前記第２直立セグメント１２２は水平セグメント１２３により接続され、前記第２直立セグメント１２２の高度は前記第１直立セグメント１２１の高度より高くなく、
前記固定部品２は前記本体１の頂板１１に締め付けられ、前記本体１と共にソーラーパネル６の組立のための組立スペース５を構成し、
前記防水絶縁ゴムストリップ３は、前記第１直立セグメント１２１と前記ソーラーパネル６の間、前記水平セグメント１２３と前記ソーラーパネル６の間、及び前記固定部品２と前記ソーラーパネル６の間に設けられる。
【請求項２】
前記水平セグメント１２３と前記第１直立セグメント１２１の接続部分には排水と換気に用いられる溝１２４が設けられることを特徴とする請求項１に記載の防水機能を有するソーラーパネル支持構造。
【発明の詳細な説明】
【技術分野】
【０００１】
本発明は、支持フレーム構造に関し、特に、太陽熱発電パネルの支持フレームに関する。
【背景技術】
【０００２】
ソーラーパネルは太陽光エネルギーを吸収することによって電気を発生させるため、屋外に設置する必要があり、雨の日は雨にさらされないようにすることが困難である。雨水が空から落ちてくる際には空気中の不純物も付着するため、弱酸性を持つようになる。ソーラーパネル及びその設置用ブラケットは金属製であるため、雨水と接触すると腐食が発生する。さらに、ソーラーパネルの保護層が腐食することで雨水が浸入すると、ソーラーパネルの漏電や、金属ブラケットとの接触により起きる短絡などの問題が発生し、ソーラーパネルの損傷故障に繋がる。
【先行技術文献】
【特許文献】
【０００３】
【特許文献１】台湾実用新案公開 M５７３９１７号
【発明の概要】
【０００４】
本発明の主な目的は、防水絶縁機能を有するソーラーパネル支持構造を提供することである。ブラケットとソーラーパネルの間に防水絶縁ゴムストリップを設置することによりブラケットとソーラーパネルを分離させ、両者の接触により発生する短絡を防ぐと共に、雨水の侵入を遮断することで腐食の発生を防ぎ、構造の保護及び耐用年数の延長などの機能を有する。
【０００５】
前記の目的を果たすために、本発明は防水機能を有するソーラーパネル支持構造を提供する。
ソーラーパネル支持構造は、本体、固定部品、いくつかの防水絶縁ゴムストリップを含み、
前記本体は頂板を備え、前記頂板の両側にそれぞれ側面部を設けることで前記頂板が持ち上げられ、各側面部の下端には底板が接続され、前記底板は屋根を構成する鉄骨梁に締め付けられ、
前記固定部品は前記本体の頂板に締め付けられ、前記本体と共にソーラーパネルの組立のための組立スペースを構成し、
前記防水絶縁ゴムストリップは前記本体の側面部と前記ソーラーパネルの間、及び前記固定部品と前記ソーラーパネルの間に設けられる。
【０００６】
実施例において、前記本体の側面部は第１直立セグメント及び第２直立セグメントを含み、前記第１直立セグメントと前記第２直立セグメントは水平セグメントにより接続され、前記第２直立セグメントの高度は前記第１直立セグメントの高度より高くない。前記第１直立セグメント及び前記水平セグメントに前記防水絶縁ゴムストリップが一つずつ設けられる。
【図面の簡単な説明】
【０００７】
【図１】本発明を示す斜視図である。
【図２】本発明を示す分解斜視図である。
【図３】本発明を示す断面図である。
【発明を実施するための形態】
【０００８】
図１〜図３に示すように、本発明は防水絶縁機能を有するソーラーパネル支持構造を提供することである。その全体としては長い構造体であり、本体１、固定部品２及びいくつかの防水絶縁ゴムストリップ３を含む。前記本体１は頂板１１を備え、前記頂板１１は長辺の両側に下向きに延伸する側面部１２を設けることで前記頂板１１が持ち上げられ、各側面部１２の下端には反対方向に延伸する底板１３が接続される。前記前記底板１３にはいくつかの固定孔１３１が設けられ、ねじ１３２を介して屋根を構成する鉄骨梁４に締め付けられる。
【０００９】
また、前記側面部１２は第１直立セグメント１２１及び第２直立セグメント１２２を含み、前記第１直立セグメント１２１は前記頂板１１と接続され、前記第２直立セグメント１２２は前記底板１３と接続され、前記第１直立セグメント１２１と前記第２直立セグメント１２２の間は水平セグメント１２３により接続される。前記前記第１直立セグメント１２１は高度Ｈ１を有し、前記第２直立セグメント１２２は高度Ｈ２を有し、前記第２直立セグメント１２２の高度Ｈ２は前記第１直立セグメント１２１の高度Ｈ１より高くない。具体的には、前記第２直立セグメント１２２の高度Ｈ２は前記第１直立セグメント１２１の高度Ｈ１より低いか、せいぜい等しい。
【００１０】
また、本実施例において、前記水平セグメント１２３と前記第１直立セグメント１２１の接続部分には凹んだ長い溝１２４が設けられ、前記溝１２４は排水と換気に用いられる。
【００１１】
前記固定部品２は前記本体１の頂板１１に締め付けられる。具体的には、前記固定部品２は基板２１を備え、前記基板２１が前記本体１の頂板１１の上に重ねられるように置かれ、両者はねじ２１１を介して締め付けられる。前記基板２１の両側から前記本体１の水平セグメント１２３に対する翼板２２が延伸することにより、前記翼板２２と前記水平セグメント１２３の間にソーラーパネル６の組立ための組立スペース５が形成される。
【００１２】
前記本体１の前記第１直立セグメント１２１及び前記水平セグメント１２３には、前記組立スペース５を向かって防水絶縁ゴムストリップ３が一つずつ設けられ、また、前記固定部品２の前記翼板２２には、前記組立スペース５を向かって防水絶縁ゴムストリップ３が二つ設けられる。ソーラーパネル６が前記組立スペース５に組み立てられる際に、ソーラーパネル６と各防水絶縁ゴムストリップ３が当接することにより、前記本体１及び前記固定部品２と互いに接触せずに分離する。また、前記防水絶縁ゴムストリップ３の電気絶縁性によって、ソーラーパネル６と前記本体１及び前記固定部品２との間で短絡現象が発生せず、発電におけるソーラーパネル６の通常運転を確保する。
【００１３】
一方、前記防水絶縁ゴムストリップ３は防水機能をさらに有する。ソーラーパネル６は、前記組立スペース５内で防水絶縁ゴムストリップ３と当接しているので、雨水を遮断しソーラーパネル６とブラケットの間に進入させない。そのため、腐食の発生を防ぐことができ、耐用年数の延長が可能になる。
【００１４】
さらに、ソーラーパネル６が本発明に設置されると、ソーラーパネル６は前記第１直立セグメント１２１及び前記水平セグメント１２３に当接するが、前記溝１２４を介して排水と換気に用いる通路を一つ形成することができるため、通常は空気を循環させ冷却の効果を果たし、雨が降る時には雨水を出すことができ、水の溜まりによるソーラーパネル６の損傷を防ぐことができる。
【図１】
2020031531.tif 000003
【図２】
2020031531.tif 000004
【図３】
2020031531.tif 000005